(57)【要約】【課題】作業手順を簡略化し、耐久性、安全性を向上させる。【解決手段】本体ブロック１１の第１突部１１ａにねじ装着する押しねじ１２と、押しねじ１２の先端に挿着し、小径部１４ａ、大径部１４ｂを有する押し棒１４と、ガイドブロック１５を第１、第２突部１１ａ、１１ｂの間に保持する支持金具２０とを設ける。【選択図】図７
0003127170.tif 000002
【実用新案登録請求の範囲】
【請求項１】
相対向する第１、第２突部を備える本体ブロックと、前記第１突部を貫通するねじ孔に装着し、前記第２突部に向けて進退させる押しねじと、チェーンのピンより小径の小径部、大径の大径部を有する押し棒と、前記本体ブロックに付設する支持金具とを備えてなり、前記第２突部は、チェーンのピンが通過可能な貫通孔を前記押しねじに対向するように形成し、前記押しねじは、前記第２突部側の先端に開口する段付穴を軸心上に形成し、前記押し棒は、前記小径部、大径部を反転させて前記段付穴に挿着可能であり、前記支持金具は、前記小径部を摺動自在に貫通させるガイドブロックを装着して前記第１、第２突部の間に保持することを特徴とするチェーンの切断接続用ツール。
【請求項２】
前記支持金具には、前記ガイドブロックに代えて、チェーンの継手プレートを保持するホルダブロックを交換装着することを特徴とする請求項１記載のチェーンの切断接続用ツール。
【請求項３】
前記支持金具は、前記第１突部に向けて弾発的に付勢するとともに、セットボルトを介して位置決めすることを特徴とする請求項１または請求項２記載のチェーンの切断接続用ツール。
【請求項４】
前記第２突部の前面には、前記貫通孔を介して、チェーンの継手リンクを位置決めするスペーサブロックを取外し自在に装着することを特徴とする請求項１ないし請求項３のいずれか記載のチェーンの切断接続用ツール。
【請求項５】
前記本体ブロックには、着脱可能な把持柄を前記第１突部の突設方向と逆向きに付設することを特徴とする請求項１ないし請求項４のいずれか記載のチェーンの切断接続用ツール。
【考案の詳細な説明】
【技術分野】
【０００１】
この考案は、たとえばオートバイ用チェーンなどを対象として、損耗したチェーンを新品と交換するときに使用するチェーンの切断接続用ツールに関する。
【背景技術】
【０００２】
オートバイ用チェーンなどが損耗すると、新品のチェーンと交換する必要があるが、このときの作業手順は、損耗したチェーンの任意の１本のピンを抜き取ることによりチェーンを切断してスプロケットから外し、スプロケットに交換用のチェーンを掛け、継手リンクを介して新しいチェーンの両端を連結して無端に接続する。なお、一般に、チェーンＣは、ピンＣa 、Ｃa …、リンクプレートＣb 、Ｃb …を介して多数のローラリンクＣ3 、Ｃ3 …を屈曲自在に連結して構成されている（図１４）。新しいチェーンＣは、継手リンクＣ1 のピンＣ2 、Ｃ2 を両端のローラリンクＣ3 、Ｃ3 の先端のピン孔に挿通し、継手プレートＣ4 をピンＣ2 、Ｃ2 の先端に圧入した上、ピンＣ2 、Ｃ2 の先端をかしめることにより接続する。ただし、各ピンＣ2 には、ローラリンクＣ3 の両外側にシールリングＣ5 、Ｃ5 が装着されているが、シールリングＣ5 、Ｃ5 を装着しない型式もある。
【０００３】
そこで、チェーンの交換作業に使用する切断接続用ツールが提案されている（特許文献１）。
【０００４】
このものは、相対向して組み合わせる略コ字状の第１、第２本体と、第１本体の底壁を貫通する押しねじと、押しねじの先端に個別に装着するピン抜き用ピン、プレートホルダ、かしめ用ピンと、第２本体内に固定するチェーンホルダとを備えている。チェーンホルダ上にチェーンをセットして第２本体を第１本体に組み合わせ、押しねじの先端にピン抜き用ピン、プレートホルダ、かしめ用ピンのいずれかを選択して装着することにより、チェーンの切断、継手プレートの圧入、ピンのかしめの各作業を順次実行することができる。
【特許文献１】特開平８−２２９７５６号公報
【考案の開示】
【考案が解決しようとする課題】
【０００５】
かかる従来技術によるときは、チェーンは、第１、第２本体を分離して第２本体内のチェーンホルダ上にセットした上、第１、第２本体を一体に組み合わせなければならない上、作業手順に従って、ピン抜き用ピン、プレートホルダ、かしめ用ピンを個別に押しねじの先端に装着する必要があるから、全体作業が煩雑であり、作業能率がよくないという問題があった。また、ピン抜き用ピンは、チェーンのピンより細く、しかも長くなければならないから、曲がったり、折れたりして使用不能になることがあり、耐久性、安全性が十分でないという問題もあった。
【０００６】
そこで、この考案の目的は、かかる従来技術の問題に鑑み、一体の本体ブロック上に第１、第２突部を形成するとともに、押し棒の小径部を挿通してガイドするガイドブロック用の支持金具を設けることによって、作業手順を簡略化して作業能率の向上を図るとともに、十分な耐久性、安全性を容易に実現することができるチェーンの切断接続用ツールを提供することにある。
【課題を解決するための手段】
【０００７】
かかる目的を達成するためのこの考案の構成は、相対向する第１、第２突部を備える本体ブロックと、第１突部を貫通するねじ孔に装着し、第２突部に向けて進退させる押しねじと、チェーンのピンより小径の小径部、大径の大径部を有する押し棒と、本体ブロックに付設する支持金具とを備えてなり、第２突部は、チェーンのピンが通過可能な貫通孔を押しねじに対向するように形成し、押しねじは、第２突部側の先端に開口する段付穴を軸心上に形成し、押し棒は、小径部、大径部を反転させて段付穴に挿着可能であり、支持金具は、小径部を摺動自在に貫通させるガイドブロックを装着して第１、第２突部の間に保持することをその要旨とする。
【０００８】
なお、支持金具には、ガイドブロックに代えて、チェーンの継手プレートを保持するホルダブロックを交換装着することができ、支持金具は、第１突部に向けて弾発的に付勢するとともに、セットボルトを介して位置決めすることができる。
【０００９】
また、第２突部の前面には、貫通孔を介して、チェーンの継手リンクを位置決めするスペーサブロックを取外し自在に装着してもよく、本体ブロックには、着脱可能な把持柄を第１突部の突設方向と逆向きに付設してもよい。
【考案の効果】
【００１０】
かかる考案の構成によるときは、押し棒は、小径部、大径部を反転させて、すなわち、小径部、大径部のいずれか一方を第２突部に向けるようにして、押しねじの段付穴に挿着することができる。そこで、押し棒の小径部を第２突部に向け、第２突部の前面にチェーンをセットして押しねじを前進させると、押し棒の小径部を介してチェーンのピンを押し出して抜き取り、チェーンを切断することができる（ピン抜き）。なお、チェーンから押し出されるピンは、第２突部の貫通孔を通過して外部に排出される。また、このとき、押し棒の小径部は、第１、第２突部の間において、支持金具上のガイドブロックを摺動自在に貫通し、ガイドブロックを介してガイドされるから、不用意に曲がったり折れたりするおそれがない。
【００１１】
一方、押し棒の大径部を第２突部に向け、継手リンクを介して両端を仮に連結したチェーンを第２突部の前面にセットし、押しねじを前進させると、大径部を介して継手プレートを押圧し、継手リンクのピンに対して継手プレートを圧入することができる（プレート圧入）。また、その後、大径部の先端面を継手リンクの各ピンの先端に押し当ててピンの先端をかしめることにより（ピンかしめ）、チェーンの接続を完了することができる。ただし、大径部の先端面には、ピンの先端を正しくかしめるために、かしめ用の型を形成しておくものとする。
【００１２】
支持金具は、ガイドブロックに代えてホルダブロックを交換装着することにより、プレート圧入の際に、継手プレートをホルダブロックに保持させて適位置にセットすることができる。このときの押しねじは、押し棒の大径部を介してホルダブロックを押し、ホルダブロック上の継手プレートを継手リンクのピンに圧入する。
【００１３】
第１突部に向けて付勢する支持金具は、ピン抜きに際してチェーンを第２突部の前面にセットするとき、手指でガイドブロックを第２突部に向けて押し、ガイドブロックと第２突部との間にチェーンを挟み込んだ上、セットボルトを締め込んで支持金具を位置決めすることにより、チェーンを簡単に適位置にセットすることができる。プレート圧入に際しても、同様である。また、支持金具は、プレート圧入の際に、押しねじを介してホルダブロックを押すことにより、ホルダブロックとともに第２突部に向けて移動し、ホルダブロック上の継手プレートを第２突部の前面のチェーンに押し付け、継手リンクのピンに圧入することができる。
【００１４】
第２突部の前面に装着するスペーサブロックは、プレート圧入、ピンかしめの際に、チェーンの継手リンクを適位置に位置決めし、各作業を容易にする他、ピンに加わる押圧力を分散させ、第２突部が損傷することを防止する。なお、スペーサブロックは、継手リンクをチェーンの長さ方向に移動可能に位置決めするものとし、ピン抜きの際には取り外すものとする。
【００１５】
本体ブロックに付設する把持柄は、押しねじを回転操作するときに片手で握り、押しねじを駆動するスパナやレンチを握る他方の手との間で、必要十分な回転トルクを容易に発生させることができる。また、把持柄は、着脱可能であるから、不使用時に取り外すことにより、収納にも便利である。
【考案を実施するための最良の形態】
【００１６】
以下、図面を以って考案の実施の形態を説明する。
【００１７】
チェーンの切断接続用ツールは、相対向する第１、第２突部１１ａ、１１ｂを備える本体ブロック１１と、第１突部１１ａにねじ込む押しねじ１２と、本体ブロック１１に付設する支持金具２０とを主要部材としてなる（図１、図２）。なお、チェーンの切断接続用ツールは、図１４のチェーンＣの切断接続に使用する。
【００１８】
第１、第２突部１１ａ、１１ｂは、略直方体の本体ブロック１１の一方の長辺方向の側端面の両端部に突設されている。本体ブロック１１には、丸棒状の把持柄１３が第１突部１１ａと逆向きに着脱可能に付設されており、第２突部１１ｂと逆向きの低い突部１１ｃが突設されている。ただし、把持柄１３は、把持柄１３側の雄ねじ１３ａを本体ブロック１１側のねじ穴１１ｄにねじ込んで固定されている。
【００１９】
押しねじ１２は、第１突部１１ａを貫通するねじ孔１１ｅにねじ込まれ、第２突部１１ｂに向けて進退させることができる。押しねじ１２は、六角の頭部１２ａを有し、第２突部１１ｂ側の先端に開口する段付穴１２ｂが軸心１２ｃ上に形成されている。
【００２０】
第２突部１１ｂには、貫通孔１１ｆが形成されている。貫通孔１１ｆは、押しねじ１２に対向するようにして、押しねじ１２の軸心１２ｃの延長線上に形成されている。
【００２１】
支持金具２０は、本体ブロック１１を厚さ方向に横切るベースブロック２１の両端部に支持ロッド２２、２２を立設して構成されている。各支持ロッド２２の上端部には、細溝内にＯリング２２ａが収納されて装着されている。ベースブロック２１には、本体ブロック１１の突部１１ｃのボルト孔１１ｇを貫通するセットボルト２３の先端部がねじ込まれている。また、セットボルト２３には、圧縮ばね２３ａが突部１１ｃ、ベースブロック２１の間に装着されている。そこで、支持金具２０は、圧縮ばね２３ａを介し、第１突部１１ａに向けて弾発的に付勢されており、セットボルト２３を介し、第１、第２突部１１ａ、１１ｂの間に位置決めすることができる。
【００２２】
チェーンの切断接続用ツールには、図３の押し棒１４、図４のガイドブロック１５、図５のホルダブロック１６、図６のスペーサブロック１７が付属している。
【００２３】
押し棒１４は、チェーンＣのピンＣa 、Ｃ2 より小径の小径部１４ａ、大径の大径部１４ｂを有する（図３（Ａ））。小径部１４ａは、大径部１４ｂより長く、大径部１４ｂの先端面には、円錐台形状の突部１４ｃ、周囲のリング１４ｄを組み合わせるピンＣ2 のかしめ用の型が形成されている（同図（Ａ）、（Ｂ））。すなわち、押し棒１４は、大径部１４ｂの先端面をピンＣ2 の先端に押し付けることにより、ピンＣ2 の先端を正しくかしめて継手プレートＣ4 を固定することができる。ただし、ピンＣ2 の先端には、突部１４ｃを進入させて押し拡げるために、浅い丸孔Ｃ2aが形成されている（図３（Ｂ）、図１４）。
【００２４】
なお、押しねじ１２の段付穴１２ｂは、押し棒１４の大径部１４ｂ、小径部１４ａに適合する（図２）。すなわち、段付穴１２ｂの大径部分には、大径部１４ｂのほぼ全長を収納し、小径部分には、小径部１４ａの全長を収納することができる。そこで、押し棒１４は、小径部１４ａ、大径部１４ｂを反転させて、すなわち、大径部１４ｂのみを段付穴１２ｂの大径部分に収納して小径部１４ａの全長を第２突部１１ｂ側に突出させ、または方向を逆にして小径部１４ａの全長、大径部１４ｂのほぼ全長の双方を段付穴１２ｂに収納して、段付穴１２ｂに挿着することができる。
【００２５】
ガイドブロック１５は、直方体のブロック体の一面の両端部に切欠き１５ａ、１５ａを形成し（図４（Ａ）、（Ｂ））、切欠き１５ａ、１５ａと平行に透孔１５ｂ、１５ｂを設け、透孔１５ｂ、１５ｂと直交する段付孔１５ｃを切欠き１５ａ、１５ａの中間に形成している。ただし、段付孔１５ｃは、中間の最小径部が押し棒１４の小径部１４ａに適合し、切欠き１５ａ、１５ａと逆方向に開口する最大径部が押し棒１４の大径部１４ｂより十分に大径である。また、切欠き１５ａ、１５ａの間に開口する段付孔１５ｃの中間径部は、チェーンＣの任意のピンＣa の一端のかしめ部分を収納し得るものとし、透孔１５ｂ、１５ｂは、支持金具２０の支持ロッド２２、２２に適合するものとする。
【００２６】
そこで、ガイドブロック１５は、支持金具２０の支持ロッド２２、２２を透孔１５ｂ、１５ｂに挿入することにより、支持金具２０を介して第１、第２突部１１ａ、１１ｂの間に保持することができる。なお、各支持ロッド２２の先端部のＯリング２２ａは、支持ロッド２２、２２上のガイドブロック１５を軽く抜止めする。
【００２７】
ホルダブロック１６は、略直方体のブロック体の一面に対し、一対の長辺方向の段付きの突条１６ａ、１６ａを対向させて形成し（図５（Ａ）、（Ｂ））、突条１６ａ、１６ａと直交する透孔１６ｂ、１６ｂを設け、突条１６ａ、１６ａの反対側の背面中央に浅い丸穴１６ｃを形成している。ただし、突条１６ａ、１６ａの先端側の間隙ａには、チェーンＣの継手プレートＣ4 を保持可能であり、突条１６ａ、１６ａの基部側の間隙ｂには、ピンＣ2 の先端のかしめ部分を左右に移動可能に収納することができる。また、透孔１６ｂ、１６ｂは、支持金具２０の支持ロッド２２、２２に適合し、丸穴１６ｃは、押し棒１４の大径部１４ｂに適合している。そこで、ホルダブロック１６は、支持金具２０の支持ロッド２２、２２を透孔１６ｂ、１６ｂに挿入することにより、ガイドブロック１５に代えて支持金具２０に交換装着し、第１、第２突部１１ａ、１１ｂ間に保持することができる。
【００２８】
スペーサブロック１７は、平板状のブロック体の片面に長辺方向の凹溝１７ａを形成し（図６（Ａ）、（Ｂ））、他面中央に取付用の短い円柱１７ｂを立設している。なお、円柱１７ｂの先端部には、細溝内にＯリング１７ｃが収納されて装着されている。凹溝１７ａは、継手リンクＣ1 のピンＣ2 、Ｃ2 のかしめ部分を左右に移動可能に収納することができ、Ｏリング１７ｃ付きの円柱１７ｂは、第２突部１１ｂの貫通孔１１ｆに適合している。そこで、スペーサブロック１７は、円柱１７ｂを貫通孔１１ｆに挿入することにより、第２突部１１ｂの前面に取外し自在に装着することができ、Ｏリング１７ｃは、スペーサブロック１７を軽く外れ止めする。
【００２９】
かかるチェーンの切断接続用ツールの使用方法は、次のとおりである。
【００３０】
まず、ピン抜きをしてチェーンＣを切断するには、押しねじ１２の段付穴１２ｂに対し、小径部１４ａの全長が第２突部１１ｂに向けて突出するようにして押し棒１４を挿着し（図７、図８）、支持金具２０の支持ロッド２２、２２にガイドブロック１５を装着する。このとき、小径部１４ａは、ガイドブロック１５の段付孔１５ｃの最大径部側から挿入し、最小径部を摺動自在に貫通させる。つづいて、支持金具２０を介し、第２突部１１ｂとガイドブロック１５との間にチェーンＣを挟み込むようにして第２突部１１ｂの前面にセットし、任意のピンＣa のかしめ部分を第２突部１１ｂの貫通孔１１ｆに対応させて位置決めし、押しねじ１２を回転させて第２突部１１ｂに向けて前進させると、押し棒１４の小径部１４ａによりピンＣa を押し出して抜き取り、貫通孔１１ｆを介して外部に排出してチェーンＣを切断することができる。
【００３１】
ただし、押し棒１４の小径部１４ａは、ピンＣa が完全に抜き取られるまで、ガイドブロック１５の段付孔１５ｃの最小径部を介してガイドされ、大径部１４ｂは、このようなピン抜きの最終段階において、段付孔１５ｃの最大径部に部分的に進入可能である。また、チェーンＣを第２突部１１ｂの前面にセットするとき、支持金具２０は、圧縮ばね２３ａを手指で押し縮める方向に力を加え（図９の矢印Ｋ方向）、ベースブロック２１、ガイドブロック１５の双方を本体ブロック１１の相異なる側端面に沿って滑らせるようにして移動させると、チェーンＣをガイドブロック１５と第２突部１１ｂとの間に挟み込むことができる。そこで、セットボルト２３を軽く締め込むことにより、チェーンＣを正しくセットしたら、押しねじ１２の頭部１２ａにスパナまたはレンチを掛けて回転させ、押しねじ１２、押し棒１４を第２突部１１ｂに向けて前進させればよい。
【００３２】
プレート圧入の際には、大径部１４ｂを第２突部１１ｂ側にして押し棒１４を押しねじ１２の段付穴１２ｂに挿着し（図１０、図１１）、支持金具２０の支持ロッド２２、２２にホルダブロック１６を装着し、第２突部１１ｂの前面にスペーサブロック１７を装着する。一方、チェーンＣは、継手リンクＣ1 を介して両端を仮に連結した上、スペーサブロック１７を介して第２突部１１ｂの前面に継手リンクＣ1 をセットする。また、継手プレートＣ4 をホルダブロック１６に保持させる。なお、このとき、継手リンクＣ1 、継手プレートＣ4 は、それぞれスペーサブロック１７、ホルダブロック１６の中央に正しくセットし、継手リンクＣ1 のピンＣ2 、Ｃ2 の先端を継手プレートＣ4 の各ピン孔に正しく対応させ、セットボルト２３を軽く締め込むことにより、ホルダブロック１６を介して継手プレートＣ4 の位置ずれや脱落を防止する。
【００３３】
つづいて、押しねじ１２を回転させて押し棒１４を前進させると、ホルダブロック１６は、押し棒１４の大径部１４ｂを介して押圧され、継手プレートＣ4 をピンＣ2 、Ｃ2 に圧入することができる（図１１）。ただし、ホルダブロック１６は、継手プレートＣ4 の圧入の際に、本体ブロック１１の側端面上を滑りながら、支持金具２０の支持ロッド２２、２２、ベースブロック２１を介して、圧縮ばね２３ａを押し縮めるようにして第２突部１１ｂ側に移動する。
【００３４】
つづいて、ピンかしめをするには、支持金具２０を本体ブロック１１から取り外し（図１２、図１３）、継手プレートＣ4 が圧入された継手リンクＣ1 のピンＣ2 、Ｃ2 の先端を押し棒１４の大径部１４ｂの先端面の型を介して順次かしめればよい。すなわち、スペーサブロック１７の前面の継手リンクＣ1 をチェーンＣの長さ方向に移動させてピンＣ2 、Ｃ2 を順に押しねじ１２の先端に突出する大径部１４ｂに対応させ、押しねじ１２を回転駆動して各ピンＣ2 の先端をかしめるものとする（図３（Ｂ））。
【００３５】
なお、この考案は、図７〜図１３に拘らず、シールリングなしのチェーンＣ、継手リンクＣ1 にもそのまま適用することができる。
【図面の簡単な説明】
【００３６】
【図１】要部斜視図
【図２】要部側面図
【図３】要部構成説明図（１）
【図４】要部構成説明図（２）
【図５】要部構成説明図（３）
【図６】要部構成説明図（４）
【図７】使用状態側面図（１）
【図８】使用状態正面図（１）
【図９】使用状態斜視図
【図１０】使用状態側面図（２）
【図１１】使用状態正面図（２）
【図１２】使用状態側面図（３）
【図１３】使用状態正面図（３）
【図１４】チェーンの要部分解斜視図
【符号の説明】
【００３７】
Ｃ…チェーン
Ｃa 、Ｃ2 …ピン
Ｃ1 …継手リンク
Ｃ4 …継手プレート
１１…本体ブロック
１１ａ…第１突部
１１ｂ…第２突部
１１ｅ…ねじ孔
１１ｆ…貫通孔
１２…押しねじ
１２ｂ…段付穴
１２ｃ…軸心
１３…把持柄
１４…押し棒
１４ａ…小径部
１４ｂ…大径部
１５…ガイドブロック
１６…ホルダブロック
１７…スペーサブロック
２０…支持金具
２３…セットボルト
実用新案登録出願人      株式会社  江沼チヱン製作所
代理人  弁理士                      松  田  忠  秋
【図１】
0003127170.tif 000003
【図２】
0003127170.tif 000004
【図３】
0003127170.tif 000005
【図４】
0003127170.tif 000006
【図５】
0003127170.tif 000007
【図６】
0003127170.tif 000008
【図７】
0003127170.tif 000009
【図８】
0003127170.tif 000010
【図９】
0003127170.tif 000011
【図１０】
0003127170.tif 000012
【図１１】
0003127170.tif 000013
【図１２】
0003127170.tif 000014
【図１３】
0003127170.tif 000015
【図１４】
0003127170.tif 000016